(57)【特許請求の範囲】
【請求項１】
給湯器と、
給湯器から供給される湯の通路となる給湯器側給湯路と、
給湯器側給湯路から分岐した、風呂に給湯するための風呂給湯路、及び、水洗トイレと洗濯機に給水するためのトイレ・洗濯機給湯路と、
浴槽の湯を給湯器に循環するための給湯器循環路と、
給湯器側給湯路、風呂給湯路、及び給湯器循環路を含んでなる循環路に湯を循環させる循環ポンプと、
トイレ・洗濯機給湯路に配設され、水洗トイレ及び洗濯機に供給されるべき浴槽残り湯が貯められる貯水タンクと、
トイレ・洗濯機給湯路の、貯水タンクより下流側に配設され、貯水タンクから水洗トイレ及び洗濯機への給水を行う給水ポンプと、
給湯器側給湯路、風呂給湯路及びトイレ・洗濯機給湯路の連通状態を、
(ａ)給湯器側給湯路と風呂給湯路が連通した状態、
(ｂ)給湯器側給湯路とトイレ・洗濯機給湯路が連通した状態
のいずれかの状態になるように切り替える切替手段と
を備え、
風呂給湯を行う場合には、切替手段により給湯器側給湯路と風呂給湯路を連通させ、前記循環ポンプを作動させて給湯器から風呂への給湯を行い、
貯水タンクに浴槽残り湯を貯める場合には、切替手段により給湯器側給湯路とトイレ・洗濯機給湯路とを連通させ、前記循環ポンプを作動させて、浴槽残り湯を貯水タンクに流入させ、
水洗トイレ及び洗濯機に給水する場合には、切替手段により給湯器側給湯路とトイレ・洗濯機給湯路を連通させ、トイレ・洗濯機給湯路の貯水タンクより下流側に配設された前記給水ポンプを作動させて、貯水タンクから水洗トイレ及び洗濯機に給水するように構成されており、かつ、
前記貯水タンクからトイレタンクに給水することにより水洗トイレへの給水が行われるとともに、トイレタンクにはボールタップを経て水道水をトイレタンクに供給するための水道水供給路が配設されており、
貯水タンクからトイレタンクに給水しておいた水を流すことにより、トイレ使用後の便器の水洗が行われるとともに、
トイレタンクの水が使用された後、前記水道水供給路からボールタップを経て水道水がトイレタンクに供給されることにより、水道水による手洗いと便器のリンスが行われるように構成されていること
を特徴とする浴槽残り湯利用システム。
【請求項２】
前記切替手段として、三方弁を給湯器側給湯路から風呂給湯路及びトイレ・洗濯機給湯路が分岐する位置に配設して用いていることを特徴とする請求項１記載の浴槽残り湯利用システム。
【請求項３】
貯水タンクに、所定の高水位・Ｈ点及び低水位・Ｌ点を検出する水位センサが配設されているとともに、水道水を供給するための水道水供給路が配設されており、
貯水タンクに浴槽残り湯を供給する際に、給湯器側給湯路とトイレ・洗濯機給湯路とが連通するように切替手段を切り替え、前記循環ポンプを作動させることにより、給湯器循環路、給湯器側給湯路、トイレ・洗濯機給湯路を経て、浴槽残り湯が貯水タンクに供給され、
水位センサにより貯水タンクの水位がＨ点に達していることが検出された場合には、循環ポンプが停止されて貯水タンクへの浴槽残り湯の供給が終了し、
浴槽残り湯をすべて貯水タンクに供給しても貯水タンクの水位がＬ点に達しない場合には、水位がＬ点に達するまで貯水タンクに水道水供給路から水道水が供給されるように構成されていること
を特徴とする請求項１又は２記載の浴槽残り湯利用システム。
【請求項４】
トイレタンクに、所定の高水位・Ｈ点及び低水位・Ｌ点を検出する水位センサが配設されており、
トイレ使用後にトイレタンクから水を流して便器の水洗を行った時点で、トイレタンクの水位がＨ点より低くＬ点より高い位置にあって水位センサのＨ点がＯＦＦ、Ｌ点がＯＮとなった場合には、トイレを小便に使用したと判定し、水位がＬ点より低くなって水位センサのＨ点及びＬ点がいずれもＯＦＦとなった場合には、トイレを大便に使用したと判定し、
トイレタンクの水が使用された後に、給水ポンプを作動させて貯水タンクから浴槽残り湯をトイレタンクに供給するタイミングを、前記大・小便の判定結果に応じて所定の時間だけ遅らせるとともに、遅らせた所定の時間である遅延時間が経過する間、水道水供給路からボールタップを経て水道水をトイレタンクに供給して、水道水による手洗い及び便器のリンスを行い、
前記遅延時間の経過後に、前記給水ポンプを作動させて貯水タンクからトイレタンクに浴槽残り湯を供給するように構成されていること
を特徴とする請求項１〜３のいずれかに記載の浴槽残り湯利用システム。
【請求項５】
貯水タンクに給水する場合において、所定回数に１回の割合で、浴槽残り湯を貯水タンクに供給せずに水道水を貯水タンクに供給し、貯水タンク、トイレタンク及び便器が水道水により洗浄されるように構成されていることを特徴とする請求項１〜４のいずれかに記載の浴槽残り湯利用システム。
【発明の詳細な説明】
【０００１】
【発明の属する技術分野】
本発明は、浴槽残り湯を有効に利用するシステムに関し、詳しくは、浴槽残り湯を水洗トイレの水洗及び洗濯に有効に利用することが可能な浴槽残り湯利用システムに関する。
【０００２】
【従来の技術及び発明が解決しようとする課題】
従来、浴槽残り湯を有効に利用するために、浴槽の湯を洗濯に利用するようにしたシステムが提案されており、このシステムによれば、浴槽残り湯を有効に利用することが可能になる。
【０００３】
しかし、浴槽残り湯を洗濯に使用するようにした場合、通常、すすぎ水としては、水道水が使用されるため、浴槽残り湯の用途は、主として洗濯時の使用に限られることになり、１日に３０リットル程度しか利用されず、浴槽残り湯の利用効率が十分ではないという問題点がある。
【０００４】
本発明は、上記問題点を解決するものであり、浴槽残り湯を従来のシステムよりさらに効率よく利用することが可能な浴槽残り湯利用システムを提供することを目的とする。
【０００５】
【課題を解決するための手段】
上記目的を達成するため、本発明（請求項１）の浴槽残り湯利用システムは、
給湯器と、
給湯器から供給される湯の通路となる給湯器側給湯路と、
給湯器側給湯路から分岐した、風呂に給湯するための風呂給湯路、及び、水洗トイレと洗濯機に給水するためのトイレ・洗濯機給湯路と、
浴槽の湯を給湯器に循環するための給湯器循環路と、
給湯器側給湯路、風呂給湯路、及び給湯器循環路を含んでなる循環路に湯を循環させる循環ポンプと、
トイレ・洗濯機給湯路に配設され、水洗トイレ及び洗濯機に供給されるべき浴槽残り湯が貯められる貯水タンクと、
トイレ・洗濯機給湯路の、貯水タンクより下流側に配設され、貯水タンクから水洗トイレ及び洗濯機への給水を行う給水ポンプと、
給湯器側給湯路、風呂給湯路及びトイレ・洗濯機給湯路の連通状態を、
(ａ)給湯器側給湯路と風呂給湯路が連通した状態、
(ｂ)給湯器側給湯路とトイレ・洗濯機給湯路が連通した状態
のいずれかの状態になるように切り替える切替手段と
を備え、
風呂給湯を行う場合には、切替手段により給湯器側給湯路と風呂給湯路を連通させ、前記循環ポンプを作動させて給湯器から風呂への給湯を行い、
貯水タンクに浴槽残り湯を貯める場合には、切替手段により給湯器側給湯路とトイレ・洗濯機給湯路とを連通させ、前記循環ポンプを作動させて、浴槽残り湯を貯水タンクに流入させ、
水洗トイレ及び洗濯機に給水する場合には、切替手段により給湯器側給湯路とトイレ・洗濯機給湯路を連通させ、トイレ・洗濯機給湯路の貯水タンクより下流側に配設された前記給水ポンプを作動させて、貯水タンクから水洗トイレ及び洗濯機に給水するように構成されており、かつ、
前記貯水タンクからトイレタンクに給水することにより水洗トイレへの給水が行われるとともに、トイレタンクにはボールタップを経て水道水をトイレタンクに供給するための水道水供給路が配設されており、
貯水タンクからトイレタンクに給水しておいた水を流すことにより、トイレ使用後の便器の水洗が行われるとともに、
トイレタンクの水が使用された後、前記水道水供給路からボールタップを経て水道水がトイレタンクに供給されることにより、水道水による手洗いと便器のリンスが行われるように構成されていること
を特徴としている。
【０００６】
本発明の浴槽残り湯利用システムは、トイレ・洗濯機給湯路に、トイレ及び洗濯機に供給されるべき浴槽残り湯を貯めるための貯水タンクを配設するとともに、給湯器側給湯路、風呂給湯路及びトイレ・洗濯機給湯路の連通状態を切り替える切替手段を設け、この切替手段により給湯路（給水路）の切り換えを行って、貯水タンクに貯められた浴槽残り湯を、トイレ及び洗濯機に分配、供給するようにしているので、浴槽残り湯を効率よくトイレ及び洗濯機の両方に使用して、浴槽残り湯の有効利用を図ることが可能になる。
【０００７】
また、トイレタンクから水を流すことにより、トイレ使用後の便器の水洗を行った後に、水道水供給路からボールタップを経て水道水がトイレタンクに供給されるようにしているので、水道水による手洗いと便器の水道水によるリンスを行うことが可能になり、清潔性を損なうことなく、浴槽残り湯の有効利用を図ることが可能になる。
なお、給水ポンプを作動させて、貯水タンクからトイレ及び洗濯機に給水する場合において、トイレへの給水路と洗濯機への給水路を切り替える方法としては、公知の種々の切替方法を適用することが可能である。
【０００８】
また、請求項２の浴槽残り湯利用システムは、前記切替手段として、三方弁を給湯器側給湯路から風呂給湯路及びトイレ・洗濯機給湯路が分岐する位置に配設して用いていることを特徴としている。
【０００９】
給湯器側給湯路、風呂給湯路及びトイレ・洗濯機給湯路の連通状態を切り替える手段としては、種々の手段を用いることができるが、三方弁を切替手段として用い、給湯器側給湯路から風呂給湯路及びトイレ・洗濯機給湯路が分岐する位置に三方弁を配設することにより、部品数の増大を招いたりすることなく、確実に給湯器側給湯路、風呂給湯路及びトイレ・洗濯機給湯路の連通状態を切り替えることが可能になり、本発明をより実効あらしめることができる。
【００１０】
また、請求項３の浴槽残り湯利用システムは、
貯水タンクに、所定の高水位・Ｈ点及び低水位・Ｌ点を検出する水位センサが配設されているとともに、水道水を供給するための水道水供給路が配設されており、
貯水タンクに浴槽残り湯を供給する際に、給湯器側給湯路とトイレ・洗濯機給湯路とが連通するように切替手段を切り替え、前記循環ポンプを作動させることにより、給湯器循環路、給湯器側給湯路、トイレ・洗濯機給湯路を経て、浴槽残り湯が貯水タンクに供給され、
水位センサにより貯水タンクの水位がＨ点に達していることが検出された場合には、循環ポンプが停止されて貯水タンクへの浴槽残り湯の供給が終了し、
浴槽残り湯をすべて貯水タンクに供給しても貯水タンクの水位がＬ点に達しない場合には、水位がＬ点に達するまで貯水タンクに水道水供給路から水道水が供給されるように構成されていること
を特徴としている。
【００１１】
貯水タンクに水位センサを配設するとともに、水道水を供給するための水道水供給路を配設し、貯水タンクの水位がＨ点に達すると貯水タンクへの浴槽残り湯の供給を終了し、浴槽残り湯を貯水タンクに供給しても貯水タンクの水位がＬ点に達しないときには、水位がＬ点に達するまで貯水タンクに水道水を供給するようにした場合、浴槽残り湯を効率よく利用することが可能になるとともに、浴槽に残った湯が少なくて、それを貯水タンクに貯めただけではトイレ洗浄や洗濯に必要な水をまかないきれない場合にも、トイレ洗浄や洗濯に支障をきたすことがなくなり、信頼性を向上させることが可能になる。
【００１２】
また、請求項４の浴槽残り湯利用システムは、
トイレタンクに、所定の高水位・Ｈ点及び低水位・Ｌ点を検出する水位センサが配設されており、
トイレ使用後にトイレタンクから水を流して便器の水洗を行った時点で、トイレタンクの水位がＨ点より低くＬ点より高い位置にあって水位センサのＨ点がＯＦＦ、Ｌ点がＯＮとなった場合には、トイレを小便に使用したと判定し、水位がＬ点より低くなって水位センサのＨ点及びＬ点がいずれもＯＦＦとなった場合には、トイレを大便に使用したと判定し、
トイレタンクの水が使用された後に、給水ポンプを作動させて貯水タンクから浴槽残り湯をトイレタンクに供給するタイミングを、前記大・小便の判定結果に応じて所定の時間だけ遅らせるとともに、遅らせた所定の時間である遅延時間が経過する間、水道水供給路からボールタップを経て水道水をトイレタンクに供給して、水道水による手洗い及び便器のリンスを行い、
前記遅延時間の経過後に、前記給水ポンプを作動させて貯水タンクからトイレタンクに浴槽残り湯を供給するように構成されていること
を特徴としている。
【００１３】
トイレタンクに、トイレタンクの水位を検出する水位センサを配設し、トイレ使用後にトイレタンクから水を流して便器の水洗を行った時点でのトイレタンクの水位から、大・小便の判定を行い、給水ポンプを作動させて貯水タンクから浴槽残り湯をトイレタンクに供給するタイミングを、その判定結果に応じて所定の時間だけ遅らせるとともに、その間に水道水供給路からボールタップを経て水道水をトイレタンクに供給することにより、使用状態に応じて、水道水による手洗い及び便器のリンスを行うことが可能になり、本発明をさらに実効あらしめることができる。
【００１４】
また、請求項５の浴槽残り湯利用システムは、貯水タンクに給水する場合において、所定回数に１回の割合で、浴槽残り湯を貯水タンクに供給せずに水道水を貯水タンクに供給し、貯水タンク、トイレタンク及び便器が水道水により洗浄されるように構成されていることを特徴としている。
【００１５】
貯水タンクに浴槽残り湯を供給する場合に、所定回数に１回の割合で、浴槽残り湯を貯水タンクに供給せず、水道水を貯水タンクに供給することにより、貯水タンク、トイレタンク及び便器を、所定のピッチで塩素を含む殺菌性のある水道水で洗浄することが可能になり、貯水タンク、トイレタンクなどを清潔に保つことが可能になる。
【００１６】
【発明の実施の形態】
以下、本発明の実施形態を示してその特徴とするところをさらに詳しく説明する。
【００１７】
図１は、本発明の一実施形態にかかる浴槽残り湯利用システムの構成を示す図である。この浴槽残り湯利用システムは、風呂給湯用の給湯器１と、給湯器１から供給される湯の通路となる給湯器側給湯路２と、給湯器側給湯路２から分岐した、風呂（浴槽）１０に給湯するための風呂給湯路３及び水洗トイレ２０及び洗濯機３０に給湯（給水）するためのトイレ・洗濯機給湯路４と、浴槽１０の湯を給湯器１に循環するための給湯器循環路５と、給湯器側給湯路２、風呂給湯路３、及び給湯器循環路５からなる循環路に湯を循環させるために、給湯器１内の給湯器循環路５に配設された循環ポンプ６及び水流スイッチ７と、トイレ・洗濯機給湯路４の途中に配設され、水洗トイレ２０及び洗濯機３０に供給されるべき浴槽残り湯が貯められる貯水タンク４０と、トイレ・洗濯機給湯路４の、貯水タンク４０より下流側に配設され、水洗トイレ２０及び洗濯機３０への給水を行う給水ポンプ８及び水流スイッチ９と、給湯器側給湯路２が風呂給湯路３とトイレ・洗濯機給湯路４に分岐する位置に配設され、給湯器側給湯路２、風呂給湯路３及びトイレ・洗濯機給湯路４の連通状態を、給湯器側給湯路２と風呂給湯路３が連通した状態、給湯器側給湯路２とトイレ・洗濯機給湯路４が連通した状態のいずれかの状態になるように切り替える三方弁（切替手段）１９とを備えている。
なお、この実施形態では、上記循環ポンプ６により、給湯器側給湯路２、風呂給湯路３、及び給湯器循環路５からなる循環路に湯を循環させることができるように構成されており、循環される湯を給湯器１で加熱して、浴槽１０に供給することにより、追焚を行ったり、浴槽１０内の湯を所定の温度に維持したりすることができる。
【００１８】
また、この実施形態では、風呂アダプタ１０ａを浴槽１０の側面に配設しているが、風呂アダプタ１０ａを浴槽１０の底部に配設することにより、浴槽１０の残り湯をさらに効率よく利用できるように構成することも可能である。
【００１９】
また、貯水タンク４０には、所定の高水位（Ｈ点）及び低水位（Ｌ点）を検出する水位センサ１１が配設されているとともに、水道水を供給するための水道水供給路１２が配設されている。また、貯水タンク４０には、オーバーフロー配管１３が取り付けられており、オーバーフロー配管１３は、便器１８に洗浄用の水を供給するためのトイレタンク１４に接続されている。
【００２０】
さらに、トイレ・洗濯機給湯路４は、トイレタンク１４に接続されたトイレ給水路４ａと、洗濯機３０に接続された洗濯機給水路４ｂに分岐している。なお、トイレ給水路４ａは、途中でオーバーフロー配管１３と合流してトイレタンク１４に接続されている。また、貯水タンク４０に水道水を供給するための水道水供給路１２からはトイレタンク１４に水道水を供給するためのトイレ用水道水供給路１５が分岐しており、このトイレ用水道水供給路１５は、トイレタンク１４のボールタップ１６に接続されている。
【００２１】
また、トイレタンク１４には、所定の高水位（Ｈ点）及び低水位（Ｌ点）を検出する水位センサ１７が配設されている。
【００２２】
そして、貯水タンク４０に水道水を供給するための水道水供給路１２には、第１電磁弁２１が配設されており、洗濯機給水路４ｂには、第２電磁弁２２が配設されている。また、水道水供給路１２から分岐した分岐部分（分岐水道水供給路１２ａ）は、水道水を洗濯機３０に供給することができるように洗濯機給水路
４ｂに接続されている。なお、洗濯機給水路４ｂの先端側の部分は水道水が洗濯機３０に供給される場合の水道水供給路として機能する。また、分岐水道水供給路１２ａには、第３電磁弁２３が配設され、トイレ給水路４ａには、第４電磁弁２４が配設されている。
【００２３】
また、この実施形態の浴槽残り湯利用システムは、貯水タンクユニット５０をコントロールするためのリモートコントローラ６０を備えており、このリモートコントローラ６０は、貯水タンク４０に水が残っていることを示す残水表示ランプ６１、貯水タンク４０に水を貯める際に操作される貯水タンク採水スイッチ６２、洗濯機３０に給水する際に操作される洗濯用注水スイッチ６３，洗濯機３０に給水する時間を設定するための洗濯タイマー設定手段６４などを備えている。
【００２４】
さらに、分岐水道水供給路１２ａ及び洗濯機給水路４ｂには、逆流を防止するための逆流防止弁２５，２６が配設されている。
【００２５】
さらに、この実施形態の浴槽残り湯利用システムにおいては、貯水タンク４０に浴槽残り湯を供給する際に、給湯器側給湯路２とトイレ・洗濯機給湯路４とが連通するように三方弁１９を切り替え、循環ポンプ６を作動させることにより、給湯器循環路５、給湯器側給湯路２、トイレ・洗濯機給湯路４を経て、浴槽残り湯が貯水タンク４０に供給されるように構成されているとともに、貯水タンク４０に配設された水位センサ１１により貯水タンク４０の水位がＨ点に達していることが検出された場合には、循環ポンプ６が停止されて貯水タンク４０への浴槽残り湯の供給が終了し、浴槽残り湯をすべて貯水タンク４０に供給しても貯水タンク４０の水位がＬ点に達しない場合には、貯水タンク４０の水位がＬ点に達するまで水道水供給路１２から貯水タンク４０に水道水が供給されるように構成されている。
【００２６】
また、この実施形態の浴槽残り湯利用システムにおいては、貯水タンク４０からトイレタンク１４に給水することによりトイレへの給水が行われるとともに、水道水供給路１２及びトイレ用水道水供給路１５から、水道水がボールタップ１６を経てトイレタンク１４に供給される。
【００２７】
そして、貯水タンク４０からトイレタンク１４に給水しておいた水（浴槽残り湯）を流すことにより、トイレ使用後の便器１８の水洗が行われるとともに、トイレタンク１４の水が使用された後、トイレ用水道水供給路１５からボールタップ１６を経て水道水がトイレタンク１４に供給されることにより、水道水による手洗いと便器１８のリンスが行われる。
【００２８】
さらに、貯水タンク４０からトイレタンク１４に給水を行う場合に、水位がＨ点に達するまで給水を行うとともに、トイレ使用後にトイレタンク１４から水を流して便器１８の水洗を行った時点で、トイレタンク１４の水位がＨ点より低くＬ点より高い位置にある場合には、トイレを小便に使用したと判定し、水位がＬ点より低くなった場合には、トイレを大便に使用したと判定し、その判定結果に応じて所定の時間だけ、給水ポンプ８を作動させて貯水タンク４０から浴槽残り湯をトイレタンク１４に供給するタイミングを遅らせるとともに、この所定の時間に、トイレ用水道水供給路１５からボールタップ１６を経て水道水をトイレタンク１４に供給することにより、水道水による手洗い及び便器１８のリンスが行われる。
【００２９】
さらに、貯水タンク４０から洗濯機３０に給水する際に、貯水タンク４０の水位がＬ点にまで低下した時点で、水道水供給路１２、分岐水道水供給路１２ａ、洗濯機給水路４ｂを経て洗濯機３０に水道水が供給されるとともに、すすぎ工程では、貯水タンク４０からの給水は行われずに、水道水供給路１２、分岐水道水供給路１２ａ、洗濯機給水路４ｂを経て水道水が供給されるように構成されている。
【００３０】
また、この実施形態の浴槽残り湯利用システムにおいては、便器１８の水洗を行う場合に、所定回数に１回の割合で、貯水タンク４０からトイレタンク１４に水道水が供給され、トイレタンク１４内部及び便器１８が水道水で洗浄されるように構成されている。すなわち、所定回数に一回の割合で、貯水タンク４０に浴槽残り湯が供給されずに水道水が供給され、その水道水が貯水タンク４０から供給されることにより、トイレタンク１４、便器１８が水道水によりすすがれることになる。
【００３１】
次に、上記のように構成されたこの実施形態の浴槽残り湯利用システムの動作について説明する。
【００３２】
［貯水タンクへの浴槽残り湯の供給］
(１)リモートコントローラ６０の貯水タンク採水スイッチ６２をＯＮにすることにより、循環ポンプ６が作動するとともに、三方弁１９が作動して、給湯器側給湯路２とトイレ・洗濯機給湯路４が連通状態となり、浴槽１０から残り湯が貯水タンク４０に供給される。
(２)そして、貯水タンク４０の水位がＨ点に達すると循環ポンプ６の運転が停止される。
(３)浴槽残り湯が少なく、貯水タンク４０の水位がＨ点に達しない場合、水位がＬ点を超えている場合には、水流スイッチ７がＯＦＦとなり、浴槽１０内に残り湯がなくなったと判断して、循環ポンプ６の運転が停止される。
(４)また、浴槽残り湯が少なくて、貯水タンクの水位がＬ点に達しない場合には、貯水タンク４０の水位が低すぎる（水不足である）と判断し、水道水供給路１２の給水電磁弁（第１電磁弁）２１が開となって、水位がＬ点に達するまで、水道水が供給される。なお、Ｌ点までしか水道水を供給しないのは、次回の風呂使用後の浴槽残り湯の利用率を向上させるためである。
(５)また、所定回数に一回の割合で、浴槽残り湯を供給することなく、水道水が貯水タンク４０に供給される。
これにより、貯水タンク、トイレタンク及び便器を、塩素を含む殺菌性のある水道水で洗浄することが可能になり、貯水タンク、トイレタンク、便器の清潔度を向上させることが可能になる。
なお、貯水タンクに水道水を供給するピッチは、貯水タンクの汚れ具合などを調べて、適宜決定することが望ましい。
【００３３】
［洗濯機への給水（給湯）］
(１)洗濯機に給水する場合、使用量が洗濯の条件により異なるので、使用者がリモートコントローラ６０の洗濯タイマー設定手段６４により、使用量（浴槽残り湯の供給時間）を決定する。
(２)洗濯タイマー設定手段６４により設定された時間（設定時間）だけ第２電磁弁２２が開となり、給水ポンプ８が作動し、貯水タンク４０より洗濯機３０に給水（給湯）される。
(３)洗濯タイマー設定手段６４による設定時間が経過すると、第２電磁弁２２が閉となり、第３電磁弁２３が開となって、水道水を洗濯機３０に供給することができる状態となる（すなわち、洗いの工程だけに浴槽残り湯が利用され、その後の段階では水道水が使用されることになる）。
(４)そして、洗濯工程がすすぎの段階にはいると、洗濯機３０には水道水供給路１２、分岐水道水供給路１２ａ、洗濯機給水路４ｂを経て水道水が供給され、洗濯物が水道水によりすすがれる。
【００３４】
［トイレへの給水］
(１)トイレ使用後に、トイレタンク１４のトイレ洗浄ノブ（図示せず）が操作され開になると、トイレタンク１４から便器１８に給水され、便器１８の洗浄が行われる。
(２)そして、トイレタンク１４の水位がＨ点より低くＬ点より高い位置にある場合（すなわち、水位センサ１７のＨ点がＯＦＦ、Ｌ点がＯＮとなった場合）には、トイレを小便に使用したと判定し、水位がＬ点より低くなった場合（水位センサ１７のＨ点及びＬ点がいずれもＯＦＦとなった場合）には、トイレを大便に使用したと判定する。
(３)そして、トイレ使用後に、給水ポンプ８を作動させて浴槽残り湯をトイレタンク１４に供給するタイミングを、上述の大・小便の判定結果に応じて、所定の時間だけ遅延させるとともに、この所定の時間が経過する間に、トイレ用水道水供給路１５からボールタップ１６を経て水道水をトイレタンク１４に供給し、水道水による手洗い及び便器１８のリンスを行うことができるようにする。
(４)そして、上記所定の時間（遅延時間）が経過した後、給水ポンプ８を作動させて浴槽残り湯をトイレタンク１４に供給し、次回のトイレの使用に備える。
(５)また、所定回数に一回の割合で、貯水タンク４０に浴槽残り湯が供給されずに水道水が供給され、その水道水が貯水タンク４０から供給されることにより、トイレタンク１４、便器１８が水道水によりすすがれることになる。
上述のように、この実施形態の浴槽残り湯利用システムにおいては、浴槽残り湯を貯水タンク４０に貯めた後、貯水タンク４０からトイレタンク１４及び洗濯機３０に分配、供給するようにしているので、効率よく浴槽残り湯を利用することが可能になるとともに、システム全体の構成をシンプルにすることが可能になり、経済的に、浴槽残り湯を効率よく使用することが可能なシステムを実現することができる。
【００３５】
なお、上記実施形態では、給湯器側給湯路、風呂給湯路及びトイレ・洗濯機給湯路の連通状態を切り替えるための切替手段として三方弁を用いた場合について説明したが、三方弁を用いる代わりに、給湯器側給湯路、風呂給湯路及びトイレ・洗濯機給湯路のそれぞれに開閉弁を設け、その開閉により給水路の切り換えを行うように構成することも可能である。
【００３６】
本発明は、その他の点においても、上記実施形態に限定されるものではなく、給湯器の具体的な構成、各給湯路の具体的な接続態様などに関し、発明の要旨の範囲内において、種々の応用、変形を加えることが可能である。
【００３７】
【発明の効果】
上述したように、本発明（請求項１）の浴槽残り湯利用システムは、浴槽残り湯を貯水タンクに貯めた後、切替手段により給湯路（給水路）の切り換えを行い、浴槽残り湯を貯水タンクからトイレ及び洗濯機に分配、供給するようにしているので、浴槽残り湯を効率よく利用することが可能になる。また、特に複雑な構成を必要とせず、設備コストの増大を抑えることが可能で、経済的見地からも十分な実用性を備えた浴槽残り湯利用システムを実現することができる。
【００３８】
また、トイレタンクから水を流すことにより、トイレ使用後の便器の水洗を行った後に、水道水供給路からボールタップを経て水道水がトイレタンクに供給されるようにした場合、水道水による手洗いと便器の水道水によるリンスを行うことが可能になり、清潔性を損なうことなく、浴槽残り湯の有効利用を図ることができる。
【００３９】
また、給湯器側給湯路、風呂給湯路及びトイレ・洗濯機給湯路の連通状態を切り替える手段としては、種々の手段を用いることができるが、請求項２のように、三方弁を切替手段として用い、給湯器側給湯路から風呂給湯路及びトイレ・洗濯機給湯路が分岐する位置に三方弁を配設することにより、部品数の増大を招いたりすることなく、確実に給湯器側給湯路、風呂給湯路及びトイレ・洗濯機給湯路の連通状態を切り替えることが可能になり、本発明をより実効あらしめることができる。
【００４０】
また、請求項３の浴槽残り湯利用システムのように、貯水タンクに水位センサを配設するとともに、水道水を供給するための水道水供給路を配設し、貯水タンクの水位がＨ点に達すると貯水タンクへの浴槽残り湯の供給を終了し、浴槽残り湯を貯水タンクに供給しても貯水タンクの水位がＬ点に達しないときには、水位がＬ点に達するまで貯水タンクに水道水を供給するようにした場合、浴槽残り湯を効率よく利用することが可能になるとともに、浴槽に残った湯が少なくて、それを貯水タンクに貯めただけではトイレ洗浄や洗濯に必要な水をまかないきれない場合にも、トイレ洗浄や洗濯に支障をきたすことがなくなり、信頼性を向上させることができる。
【００４１】
また、請求項４の浴槽残り湯利用システムのように、トイレタンクに、トイレタンクの水位を検出する水位センサを配設し、トイレ使用後にトイレタンクから水を流して便器の水洗を行った時点でのトイレタンクの水位から、大・小便の判定を行い、給水ポンプを作動させて貯水タンクから浴槽残り湯をトイレタンクに供給するタイミングを、その判定結果に応じて所定の時間だけ遅らせるとともに、その間に水道水供給路からボールタップを経て水道水をトイレタンクに供給することにより、使用状態に応じて、水道水による手洗い及び便器のリンスを行うことが可能になり、本発明をさらに実効あらしめることができる。
【００４２】
また、請求項５の浴槽残り湯利用システムのように、貯水タンクに浴槽残り湯を供給する場合に、所定回数に１回の割合で、浴槽残り湯を貯水タンクに供給せず、水道水を貯水タンクに供給することにより、貯水タンク、トイレタンク及び便器を、所定のピッチで塩素を含む殺菌性のある水道水で洗浄することが可能になり、貯水タンクやトイレタンクなどを清潔に保つことができる。
【図面の簡単な説明】
【図１】  本発明の一実施形態にかかる浴槽残り湯利用システムの構成を示す図である。
【符号の説明】
１            給湯器
２            給湯器側給湯路
３            風呂給湯路
４            トイレ・洗濯機給湯路
４ａ          トイレ給水路
４ｂ          洗濯機給水路
５            給湯器循環路
６            循環ポンプ
７            水流スイッチ
８            給水ポンプ
９            水流スイッチ
１０          風呂（浴槽）
１０ａ        風呂アダプタ
１１          水位センサ
１２          水道水供給路
１２ａ        分岐水道水供給路
１３          オーバーフロー配管
１４          トイレタンク
１５          トイレ用水道水供給路
１６          ボールタップ
１７          水位センサ
１８          便器
１９          三方弁
２０          水洗トイレ
２１          第１電磁弁
２２          第２電磁弁
２３          第３電磁弁
２４          第４電磁弁
２５，２６    逆流防止弁
３０          洗濯機
４０          貯水タンク
５０          貯水タンクユニット
６０          リモートコントローラ
６１          残水表示ランプ
６２          貯水タンク採水スイッチ
６３          洗濯用注水スイッチ
６４          洗濯タイマー設定手段
【図１】
0004024948.tif 000002